(57)【要約】【課題】既存の表示器を利用して車両後方にシートベルトの未装着状態を表示することができる車両の表示装置の提供を図る。【解決手段】車体の後面略中央上部に設けられて、後続車に制動等の運転状態を表示する表示器２を備え、この表示器２にベルト未装着表示部分１０を設け、シートベルトの装着または未装着の着用状況をベルト装着検出手段１２で検出して、イグニッションスイッチ５が投入された状態でシートベルト１１が未装着である時に、ベルト未装着表示手段１３によってベルト未装着表示部分１０に表示を行うことにより、後方から容易にその車両の乗員がベルト未装着状態でいることを視認できるとともに、既存の表示器２を利用することにより、新たに配線の必要も無くなる。【選択図】      図１
2004182048.tif 000002
【特許請求の範囲】
【請求項１】
車体の後部に、後続車に制動等の運転状態を表示する表示器を設けた車両において、
シートベルトの装着または未装着を検出するベルト装着検出手段と、
前記表示器にベルト未装着表示部分を設け、イグニッションスイッチが投入された状態でシートベルトの未装着時には、前記ベルト装着検出手段の検出作用に基づいて前記ベルト未装着表示部分に表示を行うベルト未装着表示手段と、を備えたことを特徴とする車両の表示装置。
【請求項２】
表示器は、多数のＬＥＤ単体を集合させて各ＬＥＤ単体の点灯により表示するＬＥＤ集合体であり、そのＬＥＤ集合体の一部領域にベルト未装着表示部分を設けたことを特徴とする請求項１に記載の車両の表示装置。
【請求項３】
ベルト未装着表示部分は、運転席側のベルト未装着を表示する運転席側表示部分と、助手席側のベルト未装着を表示する助手席側表示部分とに区別されている一方、ベルト装着検出手段は、運転席側と助手席側とにそれぞれ設けられ、助手席側のベルト装着検出手段には着座有無を検出する助手席着座検出手段を併せて設けて、イグニッションスイッチが投入された状態で助手席に着座した乗員がシートベルト未装着である時に、前記ベルト未装着表示部分に表示を行うことを特徴とする請求項１または２に記載の車両の表示装置。
【請求項４】
ベルト未装着表示部分は、運転席側のベルト未装着を表示する運転席側表示部分と、助手席側のベルト未装着を表示する助手席側表示部分とを区別したことを特徴とする請求項３に記載の車両の表示装置。
【発明の詳細な説明】
【０００１】
【発明の属する技術分野】
本発明は、車体の後面略中央上部に設けられて後続車への視認を促す車両の表示装置に関し、とりわけ、この表示装置を用いてシートベルトの未装着状態を表示するようにした車両の表示装置に関する。
【０００２】
【従来の技術】
従来では運転者がシートベルトを未装着である場合に、インストルメントパネルに設けた警告灯によって注意を促すのが一般的であるが、この警告灯が確認し辛いこともあって、シートベルト装着への注意力が低下し、ひいてはシートベルトの装着率が悪化する原因ともなる。
【０００３】
そこで、外部からも視認し易い場所（ダッシュボードの上やルーフの上等）に表示器を新たに設け、シートベルトの未装着時にその表示器によって表示させるようにしたシートベルト着脱確認装置が提案されている（例えば、特許文献１参照。）。
【０００４】
従って、このシートベルト着脱確認装置では、乗員がシートベルトを装着しないで走行した場合には、表示器によって車外の人々にベルト未装着であることを告知することになるため、運転者は積極的にシートベルトの着用を意識することになる。
【０００５】
【特許文献１】
特開平１０−２３６２７９号公報（第３頁、第１図）
【０００６】
【発明が解決しようとする課題】
しかしながら、かかる従来のシートベルト着脱確認装置は、表示器を新たに設ける必要があることから必然的にコスト増が伴うとともに、配線作業が複雑となって取付け作業が困難になり、かつ、ダッシュボード上に表示器を取付けた場合には前方視界が阻害されてしまう。
【０００７】
そこで、本発明は既存の表示器を有効利用して車両後方にシートベルトの未装着状態を表示し得るようにした車両の表示装置を提供するものである。
【０００８】
【課題を解決するための手段】
本発明の車両の表示装置にあっては、車体の後部に設けられて、後続車に制動等の運転状態を表示する表示器を利用して、この表示器にベルト未装着表示部分を設ける一方、シートベルトの装着または未装着の着用状況を検出するベルト装着検出手段と、イグニッションが投入された状態でシートベルトが未装着である時に、前記ベルト装着検出手段の検出作用に基づいて前記ベルト未装着表示部分に表示を行うベルト未装着表示手段と、を備えたことを特徴としている。
【０００９】
【発明の効果】
本発明によれば、運転者がシートベルトを未装着の状態で車両を走行した場合には、車体の後面略中央上部に設けられた表示器のベルト未装着表示部分が表示されるため、後方から容易にその車両の運転者がベルト未装着状態で走行していることが視認されることになり、その車両の運転者はシートベルトを着用することに対して強い意識を持つことが期待され、ひいては、シートベルトの着用率の向上にも繋がる。
【００１０】
また、ベルト装着表示部分は既存の表示器を利用するが可能となり、このように既存の表示器を用いることにより、新たに配線の必要が無くなることも相俟ってコストの低廉化を達成できる。
【００１１】
【発明の実施の形態】
以下、本発明の実施形態を図面と共に詳述する。
【００１２】
図１〜図４は本発明にかかる車両の表示装置の一実施形態を示し、図１は表示器を設けた車体後部を示す斜視図、図２は表示器の正面図、図３はベルトの装着および未装着を検出する回路図、図４はベルト装着検出手段を組み込んだシートベルトのタングおよびバックルの斜視図である。
【００１３】
この実施形態の車両の表示装置は、図１に示すように車体１の後面略中央上部に配置した表示器としての既存のハイマウントストップランプ２にシートベルトの着用状況を表示させるようにしている。
【００１４】
ハイマウントストップランプ２は、図示するようにリヤウインドウパネル３の中央上部、若しくは図示は省略したが車体ルーフ４の後端部中央部等に設けられて、制動時に点灯して後続車が制動状態を認識できるようになっている。
【００１５】
ハイマウントストップランプ２は、図２に示すように多数のＬＥＤ単体２ａを集合させて各ＬＥＤ単体２ａの点灯により表示するＬＥＤ集合体２ｂとして構成し、そのＬＥＤ集合体２ｂの一部領域、本実施形態ではＬＥＤ集合体２ｂの上半部分の左右コーナー部を区画してベルト未装着表示部分１０を設けている。
【００１６】
そして、このようにハイマウントストップランプ２を設けた車両１において、図３，図４に示すようにシートベルト１１の装着または未装着の着用状況を検出するベルト装着検出手段としてのバックルスイッチ１２と、イグニッションスイッチ５が投入された状態でシートベルト１１が未装着である時に、前記バックルスイッチ１２の検出作用に基づいてベルト未装着表示部分１０を表示させるベルト未装着表示手段としての表示指令回路１３と、を設けてある。
【００１７】
バックルスイッチ１２は、図４に示すようにタング１４をバックル１５から離脱したシートベルト１１の未装着状態ではオン作動する一方、タング１４をバックル１５に挿入・係着したシートベルト１１の装着状態ではオフ作動するようになっている。
【００１８】
また、本実施形態のバックルスイッチ１２は、図３の表示指令回路１３に示すように、運転席側バックルスイッチ１２Ａと助手席側バックルスイッチ１２Ｂとをそれぞれ設けるとともに、助手席側バックルスイッチ１２Ｂには着座有無を検出する助手席着座検出手段としてのシートスイッチ１６を併せて設けて、イグニッションスイッチ５が投入された状態で助手席に着座した乗員がシートベルト未装着である時に、前記ベルト未装着表示部分１０に表示を行うようになっている。
【００１９】
即ち、前記表示指令回路１３は、図３に示すように本来のストップランプ点灯回路１７に組み込んで、イグニッションスイッチ５とベルト未装着表示部分１０との間に、運転席用バックルスイッチ１２Ａと助手席用バックルスイッチ１２Ｂとを並列配置し、この助手席用バックルスイッチ１２Ｂに前記シートスイッチ１６を直列配置している。
【００２０】
一方、前記ストップランプ点灯回路１７は、制動時に図外のブレーキペダルの踏み込みによりオンするストップランプスイッチ１８を、ハイマウントストップランプ２のＬＥＤ集合体２ｂから前記ベルト未装着表示部分１０を除いた表示本体部分１９に接続するとともに、ベルト未装着表示部分１０に接続してある。
【００２１】
ここで、前記ベルト未装着表示部分１０は、運転席側のベルト未装着を表示する運転席側表示部分１０Ａと、助手席側のベルト未装着を表示する助手席側表示部分１０Ｂとを設けてあり、これら運転席側表示部分１０Ａと助手席側表示部分１０Ｂとを区別するようになっている。
【００２２】
運転席側表示部分１０Ａは、ハイマウントストップランプ２の上半部分の左右コーナー部に設けたベルト未装着表示部分１０の右側とし、助手席側表示部分１０Ｂはその左側としてある。
【００２３】
従って、前記ストップランプ点灯回路１７は、ストップランプスイッチ１８からベルト未装着表示部分１０に接続する配線を分岐して、運転席側表示部分１０Ａと助手席側表示部分１０Ｂとにそれぞれ接続しており、それぞれの接続配線には表示指令回路１３からストップランプ点灯回路１７方向への電流を遮断するためのダイオード２０ａ，２０ｂを設けてある。
【００２４】
以上の構成により本実施形態の車両の表示装置にあっては、運転者がシートベルト１１を未装着の状態で車両を走行した場合には、車体１の後面略中央上部に設けたハイマウントストップランプ２のベルト未装着表示部分１０に表示が行われるため、後方から容易にその車両の運転者がベルト未装着状態でいることを視認することができる。
【００２５】
このため、その車両の運転者は強く意識してシートベルトを着用するように心掛けることが期待され、ひいては、シートベルトの着用率の向上にも繋がる。
【００２６】
また、ベルト装着表示部分１０は既存のハイマウントストップランプ２を有効利用したものであるため、新たに配線の必要も無いことも相俟ってコストの低廉化を達成できるとともに、運転者の前方視界がには些かも影響をおよぼすことはない。
【００２７】
ところで、前記ハイマウントストップランプ２は多数のＬＥＤ単体２ａを集合させたＬＥＤ集合体２ｂとして構成し、そのＬＥＤ集合体２ｂの一部領域にベルト未装着表示部分１０を設けているため、このベルト装着表示部分１０の形状選択自由度を増大できる。
【００２８】
従って、本実施形態のようにＬＥＤ集合体２ｂの上半部左右コーナー部に設けたベルト装着表示部分１０の形状を矩形状として設けることにより、ハイマウントストップランプ２全体とのバランスを良好にとることができる。
【００２９】
勿論、ベルト装着表示部分１０の形状はこれに限ることなく、その他の多角形状や円形状にしてもよく、また、文字や記号に沿った形状としてベルト装着表示部分１０を表現することができる。
【００３０】
また、ベルト装着検出手段１０は、運転席側バックルスイッチ１２Ａと助手席側バックルスイッチ１２Ｂとをそれぞれ設けるとともに、助手席バックルスイッチ１２Ｂには着座有無を検出する助手席着座検出手段としてのシートスイッチ１６を併せて設け、イグニッションスイッチ５が投入された状態で助手席に着座した乗員がシートベルト未装着である時に、前記ベルト未装着表示部分１０に表示を行うようにしたので、助手席のシートベルト１１の着用状況をもベルト未装着表示部分１０によって後方に視認させることができる。
【００３１】
更に、ベルト未装着表示部分１０は、運転席側のベルト未装着を表示する運転席側表示部分１０Ａと、助手席側のベルト未装着を表示する助手席側表示部分１０Ｂとを区別したので、運転者および助手席乗員のシートベルト１１の着用状況を個別に判断することができる。
【００３２】
ところで、本発明の車両の表示装置は前記実施形態に例をとって説明したが、この実施形態に限ることなく本発明の要旨を逸脱しない範囲で他の実施形態を各種採ることができ、例えば、表示器２としてハイマウントストップランプ２を用いたが、これ以外にも車体の後面略中央上部に設けた他の目的の表示器に本発明を適用することができる。
【００３３】
また、表示器２は多数のＬＥＤ単体２ａを集合させたＬＥＤ集合体２ｂとして構成したが、これ以外にも通常のランプを複数設けて構成することもでき、更には液晶の表示器や可動表示体とすることもできる。
【００３４】
更には、運転席と助手席の両方のシートベルトの着用状況を判断することなく、少なくとも運転席の着用状況を検出して、これを表示器によって表示させる機能を備えておればよい。
【図面の簡単な説明】
【図１】本発明の一実施形態における表示器を設けた車体後部を示す斜視図。
【図２】本発明の一実施形態における表示器の正面図。
【図３】本発明の一実施形態におけるベルトの装着および未装着を検出する回路図。
【図４】本発明の一実施形態におけるベルト装着検出手段を組み込んだシートベルトのタングおよびバックルの斜視図。
【符号の説明】
１  車体
２  ハイマウントストップランプ（表示器）
２ａ  ＬＥＤ単体
２ｂ  ＬＥＤ集合体
５  イグニッションスイッチ
１０  ベルト未装着表示部分
１０Ａ  運転席側表示部分
１０Ｂ  助手席側表示部分
１１  シートベルト
１２  バックルスイッチ（ベルト装着検出手段）
１２Ａ  運転席側バックルスイッチ
１２Ｂ  助手席側バックルスイッチ
１３  表示指令回路（ベルト未装着表示手段）
【図１】
2004182048.tif 000003
【図２】
2004182048.tif 000004
【図３】
2004182048.tif 000005
【図４】
2004182048.tif 000006